(57)【要約】  １対の細長い照明器具を備えたモジュラーサービスユニット（１０Ａ）である。各照明器具は、１つ以上の照明管（２４）を有するリフレクタハウジング（１４）を備えている。架橋プレート又は中間ハウジング（２６）のいずれかが、各リフレクタハウジング（１４）の隣接した細長い側縁（３４）によって着脱自在に取り付けられ又は支持されており、付属サービス設備の構造部品を構成している。付属サービス設備としては、例えば、空調用ダクト又は散気装置（１７Ａ）、火災警報検知器、可撓性パイプと関連する消火スプリンクラー、スピーカー、防犯設備、及び補助照明器具を採用できる。多数のモジュラーサービスユニットを吊天井に組み込むことができる。
2005513745.tif 000002
【特許請求の範囲】
【請求項１】
１対の細長い照明器具を備え、
該照明器具が、
１つ以上の照明管を有するリフレクタハウジングと、
各リフレクタハウジングの細長い側縁を隣接させることによって着脱自在に取り付けられ又は支持されている、架橋プレート又は中間ハウジングと、を備え、
各リフレクタハウジングが、開放底を有するチャネル形状のものであり、開放底の近くに１対の細長い側縁を備えており、
架橋プレート又は中間ハウジングが、付属サービス設備の構造部品を構成していることを特徴とするモジュラーサービスユニット。
【請求項２】
中間ハウジングが、エアーダクトに連通して上記付属サービス設備を構成しているプレナムハウジング、を構成している、請求項１記載のモジュラーサービスユニット。
【請求項３】
プレナムハウジングが、中間ハウジングの縦軸に対して横方向に延びた連結スピゴット又はソケットを有している、請求項２記載のモジュラーサービスユニット。
【請求項４】
中間ハウジングが、近接したリフレクタハウジングの内側に且つそれから離れて配置された１対の低い側壁を有している、請求項２又は３に記載のモジュラーサービスユニット。
【請求項５】
上記低い側壁の各々が、中間ハウジングの頂壁を構成する１対の平面的な上部側壁を構成している、請求項４記載のモジュラーサービスユニット。
【請求項６】
上記低い側壁の各々が、各リフレクタハウジングの頂壁の上方で、関連する平面的な側壁に結合している、請求項５記載のモジュラーサービスユニット。
【請求項７】
上記中間ハウジングが、断熱層を組み込んでいる、請求項６記載のモジュラーサービスユニット。
【請求項８】
上記連結スピゴット又はソケットが、中間ハウジングの関連する側壁に着脱自在に取り付けられている、請求項３〜７のいずれか１つに記載のモジュラーサービスユニット。
【請求項９】
中間ハウジングが、開放底を有している、請求項２〜８のいずれか１つに記載のモジュラーサービスユニット。
【請求項１０】
開放底の近くに又はその中に設けられたエアーバッフルを有している、請求項９記載のモジュラーサービスユニット。
【請求項１１】
架橋プレートが消火スプリンクラー装置を支持しており、該装置が、水路と、ホースと、架橋プレートの下に設けられたスプリンクラー手段と、を有する上記付属サービス設備を構成している、請求項１記載のモジュラーサービスユニット。
【請求項１２】
架橋プレートが、上記付属サービス設備を構成する火災検知装置を支持している、請求項１記載のモジュラーサービスユニット。
【請求項１３】
架橋プレートが、上記付属サービス設備を構成するスピーカー装置を支持している、請求項１記載のモジュラーサービスユニット。
【請求項１４】
架橋プレートが、上記付属サービス設備を構成する補助照明器具を支持している、請求項１記載のモジュラーサービスユニット。
【請求項１５】
１対のエンドプレートを有しており、各エンドプレートが、リフレクタハウジングの端部近くに取り付けられている、上記請求項のいずかに記載のモジュラーサービスユニット。
【請求項１６】
１対のエンドプレートを有しており、各エンドプレートが、リフレクタハウジングの各々の間に延びており、プレナムハウジングの頂部と底との中間の隣接壁に取り付けられている、請求項２〜１０のいずれか１つに記載のモジュラーサービスユニット。
【請求項１７】
１対のエンドプレートを有しており、各エンドプレートが、各リフレクタハウジングと略同じ高さを有している、請求項１１〜１４のいずれか１つに記載のモジュラーサービスユニット。
【請求項１８】
各リフレクタハウジングが、照明管用のバラストを支持する頂壁を有しており、
頂壁が、バラストの単なる支持であり、それ故に、他の支持構造を必要としていない、上記請求項のいずかに記載のモジュラーサービスユニット。
【請求項１９】
各リフレクタハウジングと略同じ長さを有している、上記請求項のいずかに記載のモジュラーサービスユニット。
【請求項２０】
多数の縦方向支持部材と、多数の横方向支持部材と、請求項１記載の多数のモジュラーサービスユニットと、を有しており、
各対の隣接した縦方向支持部材の全て又は幾つかの各々が、各モジュラーサービスユニットの隣接したリフレクタハウジングの外側側縁を支持していることを特徴とする吊天井。
【請求項２１】
各モジュラーサービスユニットが、１対のエンドプレートと、各対の隣接した横方向支持部材の全て又は幾つかと、を備えており、該横方向支持部材が、各モジュラーサービスユニットの近接したエンドプレートを支持している、請求項１９記載の吊天井。
【発明の詳細な説明】
【発明の詳細な説明】
【０００１】
本発明は、吊天井や屋根形天井に、組み込んだり取り付けたりするための、モジュラーサービスユニットに関するものである。
【０００２】
今までの吊天井は、次のような基盤の上に構築されていた。すなわち、該基盤では、大部分が断面Ｔ形材を有する骨組部材や支持部材からなる格子体が、建物の部屋の側壁間の頭上構造に、取り付けられており、天井のタイルやパネルが、美的外観を提供するように、骨組部材に結合されている。骨組部材と部屋の頂壁又は骨組との間の空間には、空調用ダクトが設けられている。該ダクトは、プレナムハウジングに取り付けられている。該ハウジングは、空調エアーを、天井のタイルやパネルに設けられた散気装置を含む排気口やグリルから、部屋内に放出する。また、蛍光照明器具やトロファが、他のサービス設備と同様に、吊天井に間隔を置いて設けられている。他のサービス設備としては、例えば、火災報知器、消火スプリンクラー、防犯設備、スピーカー、スポット照明器具、機能照明器具がある。
【０００３】
トロファは、吊天井に取り付けられると、プレナムハウジングと関連することがある。該ハウジングは、空調用ダクトと、１つ以上の蛍光照明管用のハウジングを有する１つのトロファを備えた第１タイプの従来のサービス設備と、に接続されるものである。それにより、１対のプレナムハウジングや従来から知られているような「エアーブーツ」が設けられている。各エアーブーツは、トロファハウジングの下縁部分に支持されており、トロファハウジングの頂部の上方に上向きに延びている。各エアーブーツは、トロファハウジングの縦軸に対して横方向に延びている中空ダクトによって、相互に連結されている。エアーブーツの１つは、エアーダクトへの取付用の中空連結スピゴットを備えている。
【０００４】
上述された第１タイプの従来のサービス設備の不具合は、部屋内への空調エアーの放出が特殊なタイプの散気装置を用いることによってのみ効率的に行われる、ということである。すなわち、エアー量一定の散気装置のみが効果的に使用され、エアー量可変の散気装置の使用は制限される。また、例えば、火災警報検知器、消火スプリンクラー、スピーカー、スポット照明器具、機能照明器具などの他のサービス設備も、効果的に利用できない。
【０００５】
第２タイプの従来のサービス設備では、空調装置の近くに設けられた単色光トロファが利用されている。該空調装置は、プレナムハウジングと、プレナムハウジングの底開口を囲むベースフランジと、エアーダクトへの連結スピゴットと、を備えている。この第２タイプのサービス設備では、取り付けが、時間や費用を費やすだけでなく、取り付けられる部屋の全体の外観や美感をも損なわせる、という不具合がある。また、上述した第１タイプのサービス設備のように、上述したような他のサービスを利用する場合に、効果的に使用できない。
【０００６】
英国特許第１５０９２５９号は、多数のプロフィール要素を備えた、照明及び換気の結合装置、を示している。各プロフィール要素は、結合された照明管を中に有するリフレクタを有している。また、各プロフィール要素は、隣接する照明管と関連する細長いチョークコイルを囲む台形断面チャネルを組み込んでいる。台形断面チャネルは、リフレクタと一体である。また、各リフレクタと台形断面チャネルとの間に、ダクトが設けられている。各リフレクタは、１対の一体型底フランジを有しており、フランジの１つは、隣接するダクトの中への又は外へのエアーの流れを制御するエアー制御フラップを支持している。
【０００７】
英国特許第１５０９２５９号の構成は、上述したプロフィール要素である１つのモジュラーユニットからなり、極めて複雑である。プロフィール要素の各々は、エアーを出し入れするための底隙間を有する各ダクトによって別けられた並んだ設備に配置されている。この設備では、各モジュラーユニットに相互に連結したカバープレートも含まれている。その複雑な構成のために、プロフィール要素は、照明及び換気の結合装置としてのみデザインされ、したがって、換気の代わりに他のサービス設備を組み込むようにはできない。
【０００８】
英国特許第１５０９２５９号の構成の他の不具合は、縦方向Ｔ形材及び横方向Ｔ形材からなる格子を有する従来の吊天井で利用できないことである。
【０００９】
追加のサービス設備をランプ装置に結合させる他の従来技術がある。また、英国特許第８６４８９４号、日本特許出願公開０４−１８８９９８号、独国特許第３６４３０７５号、米国特許第５，２６３，２９０号、及び米国特許第６，４４３，５９２号は、全て、英国特許第１５０９２５９号と同じ不具合、例えば、複雑な構造であることや上述した従来の吊天井に取り付けできないことなどの不具合を、蒙る。
【００１０】
それ故、本発明の目的は、吊天井や屋根形天井への取り付け用であって、上述した従来技術の不具合を低減する、モジュラーサービスユニットを提供することである。
【００１１】
本発明のモジュラーサービスユニットは、１対の細長い照明器具を備え、該照明器具が、１つ以上の照明管を有するリフレクタハウジングと、各リフレクタハウジングの細長い側縁を隣接させることによって着脱自在に取り付けられ又は支持されている、架橋プレート又は中間ハウジングと、を備え、各リフレクタハウジングが、開放底を有するチャネル形状のものであり、開放底の近くに１対の細長い側縁を備えており、架橋プレート又は中間ハウジングが、付属サービス設備の構造部品を構成しているものである。付属サービス設備としては、例えば、空調用排気口又は散気装置、火災警報検知器、可撓性パイプと関連する消火スプリンクラー、スピーカー、防犯設備、スポット照明器具や機能照明器具のような他の照明器具がある。
【００１２】
それ故、本発明のモジュラーサービスユニットは、照明トロファのような１対の細長い照明器具を備えている。該照明トロファは、それぞれ、１つの蛍光照明管又は多数の照明管を適切な場合に組み込むための、比較的制限された幅の、ハウジングを備えている。一実施形態では、各トロファハウジングは、他のサービス設備を組み込むための底排気口を有する中間ハウジングに、取り付けることができ、又は、関連することができる。例えば、この他のサービス設備は、空調用排気口であり、それは空調用ダクトに取り付けるための連結スピゴットを有するプレナムハウジングを備えてもよい。
【００１３】
トロファハウジング及び中間ハウジングの各々は、１対のエンドプレート又はエンドフレームのような適当な連結手段によって、共に連結できる。本発明のモジュラーサービスユニットの幅は、スプリンクラーヘッドへの可撓性配管のような半剛性要素と同様に、散気装置ボックスやプレナムハウジングのような全ての要素に、安定性を与える。散気装置やグリルのような要素は、照明器具の間の空間に合った大きさにできる。より小さな要素は、取付手段の好ましい形態を構成するパネルやプレートの上に取り付けることができる。
【００１４】
ある実施形態では、本発明のモジュラーサービスユニットは、１対の照明器具及び架橋プレート又はブランクプレートを備えてもよい。該プレートは、照明器具の相互の間隔をあけるものである。ブランクプレートは、排気口隙間を有してもよく、上述したように中間ハウジングを支持するのに使用でき、より好ましくは、好ましい実施形態に示されているように、付属のサービス設備を支持するのに使用できる。
【００１５】
結合されたサービスモジュラーユニットの使用は、プレナムボックスを備えた線形散気装置、及び、頭上構造から補助支持無しに可撓性配管を備えたスプリンクラーヘッド、のような要素に、安定性を与える。技術や材料を適切に使用すると、モジュラー重量が、ほとんどのＴ形材天井によって支持されるのに十分な低さに維持される。モジュールの大きさは、天井の寸法及び要求される性能に合わせるよう選択できる。例えば、１２００ｍｍ×６００ｍｍの天井格子に対する一般的なモジュールの大きさは、６００ｍｍ×３００ｍｍ、６００ｍｍ×４００ｍｍ、６００ｍｍ×６００ｍｍ、１２００ｍｍ×３００ｍｍ、１２００ｍｍ×４００ｍｍ、１２００ｍｍ×６００ｍｍである。
【００１６】
個々のモジュールに全ての天井サービス要素を設けることは、他の天井空間をそのまま残すこととなる。これは、天井タイルを貫通させる必要性を低減し、変更の自由度を増大し、天井タイルへの損傷を低減する。システムは、Ｔ形材、隠し格子、及び固定天井を含むほとんどの天井タイプに適用できる。
【００１７】
メートル蛍光管を用いることによって、モジュールは、メートル格子天井に、連続ラインで取り付けることができる。小さな直径の蛍光管を用いることによって、例えばＴ１６（直径１６ｍｍ）器具は、全体的に低い高さで作ることができ、したがって、必要とされる天井空間を最小限にできる。
【００１８】
添付図面に示される本発明の好ましい実施形態について説明する。
【００１９】
図１において、モジュラーサービスユニット１０は、屋根形天井又は吊天井１１に取り付けられている。天井１１は、Ｔ形材１２のような縦方向骨組部材とＴ形材１３のような横方向骨組部材とからなる形態の、格子状又は網目状の骨組部材、を備えている。モジュラーサービスユニット１０は、１対の蛍光灯アッセンブリ又はトロファを備えており、それは、ハウジング１５と、拡散笠１６と、拡散笠１６間の空間１７と、を有している。示されているように、各ハウジング１４は、チャネル形状、特に好ましくは、逆Ｕ字形状を有しており、拡散笠１６によって占められた開放底１６Ａを有している。しかしながら、当然に、各トロファハウジングは、断面Ｃ形状又は断面Ｖ形状を有してもよい。また、断面長方形のプレナムハウジング１９が設けられている。ハウジング１９は、空間１７に連通している。空間１７内には、散気装置１７Ａが導入されている。空間１７は、プレナムハウジング１９の開放底に対応している。エンドプレート１９のような一般的な連結システムも示されている。また、エアーダクト（図示せず）への取付用の連結スピゴット２０が設けられている。連結スピゴット２０は、ハウジング１９へ連通している。骨組部材１３は、ハウジング１５の下縁２１に係合することによって、サービスユニット１０を支持しており、Ｔ形材１２は、ハウジング１５の縦方向縁２２を支持している。当然ながら、天井パネル（図示せず）は、従来知られている適切な方法によって、骨組部材１２、１３に取り付けることができる。
【００２０】
図２及び図３に示される別の実施形態では、本発明により構成された別のモジュラーユニット１０Ａが示されている。この実施形態では、１対の蛍光灯器具又はトロファ１４が設けられており、それは、ハウジング１５と、拡散笠１６と、リフレクタ２３と、照明管２４と、を備えている。バラスト２５も設けられている。エアーダクト（図示せず）に対する連結スピゴット２７を有するプレナムハウジング２６が示されている。連結スピゴット２７は、符号２８、２９にて、ハウジング２６に取り付けられるようになっている。ハウジング２６は、弓形側壁３１を有する下部部分３０も有している。エアーバッフル３２が、側壁３１間の隙間又は空間３３に設けられている。通常、散気装置１７Ａは、側壁３１と、バッフル３２と、エアースロット３３と、を備えている。側壁３１の各々は、縦方向縁部分３４、３５を隣接させることにより、ハウジング１４によって、支持されている。また、隣接する縁部分３４、３５の間に、適切な留め具（図示せず）が組み込まれてもよい。また、１対のエンドプレート１８Ａも設けられている。エンドプレート１８Ａは、モジュラーユニット１０Ａの種々の要素を、互いに、すなわち、ハウジング２６及びトロファ１４に、連結する。また、断熱材３７も設けられている。
【００２１】
図４に示されている本発明の別の実施形態では、モジュラーサービスユニット１０Ｂが、関連する拡散笠１６を有する１対のトロファハウジング１４の間に、パネル又は架橋プレート３８を備えている。火災検知機３９も設けられている。
【００２２】
図７〜図９に示される本発明の別の実施形態では、モジュラーサービスユニット１０Ｃが、プレナムハウジング２６Ｂ及び連結スピゴット２７を有している。散気装置アッセンブリ１７Ｂ及びバッフル３２Ａ、３２Ｂ、３２Ｃも、設けられている。モジュラーサービスユニット１０Ｃ及び関連するハウジング１５の、各周縁に配置されたトロファ１４も、設けられている。
【００２３】
したがって、この配置では、本発明のモジュラーサービスユニットは、多数の照明トロファ（例えば４個）を備えることができ、該トロファは、好ましくは、モジュラーサービスユニット１０Ｃの各周縁に沿って配置される。
【００２４】
図１０〜図１３では、種々のサービスを組み込んだ本発明のモジュラーサービスユニットについて示されている。すなわち、図１０は、火災スプリンクラー設備が組み込まれたモジュラーサービスユニット１０Ｄを示している。該スプリンクラー設備は、水路４１と、ホース４２と、スプリンクラー装置４３と、を有している。架橋プレート又は取付プレート４２Ａも設けられている。図１１は、火災検知装置４４及び取付プレート４２Ｂを組み込んだものを示している。図１２は、スピーカー装置４５及び取付プレート４２Ｃを組み込んだものを示している。図１５は、補助照明器具４６を組み込んだものを示している。
【００２５】
上記の内容からわかるように、本発明は、屋根形天井や吊天井に組み込むためのモジュラーサービスユニットを提供するものであり、それは、上述したように、他のサービスのための空間によって別けられた１対の照明器具を備えている。これは、図５の従来の吊天井に示される孤立して離れたサービスユニットを越える、明瞭な利点、を提供する。吊天井に組み込まれた多数のそのようなモジュラーユニットが、図６に示されており、これは、個々のモジュールに天井サービスを提供するという利点を有する。該個々のモジュールは、サービス設備の無い天井の残りをそのまま残すものである。これは、天井タイルを貫通させる必要性を低減させるという利点を有し、部屋のレイアウト変更のための自由度を増大させ、該構造変更が実施される際の天井タイルやパネルへの損傷を低減させる。
【００２６】
メートル蛍光管を用いることによって、モジュールは、メートル格子天井の連続ラインに取り付けることができる。小さな別々の蛍光管を用いることによって、設備は、小さな全高で、すなわち、天井の空間要求を最小にして、作ることができる。
【００２７】
散気装置は、種々のタイプのものを使用できる。該タイプのものとしては、天井空間への排気グリル又は排気ダクト連結と同様に、例えば、可変エアー量（ＶＡＶ）タイプの線形のもの、ＶＡＶタイプの長方形のもの、及び固定エアー量タイプのものがある。
【００２８】
一体化されたモジュールにおいて関連サービスをグループ化することによって、天井の美感が改善される。ある供給者からの本発明のモジュラーユニットを最適化することによって、外観、仕上がり、及び色が、全て制御され適合される。
【００２９】
上述した従来技術に鑑みると、本発明は、次のような多数の特有な利点を提供する。すなわち、
【００３０】
（ａ）各モジュラーユニットは、図１０〜図１３に示される架橋プレート又は図１〜図９に示される中間ハウジングによって別けられた、１対のトロファを有している。これは、どんな数の付属サービスの用途においても汎用的である単純な構造のものである。また、これは、別れた要素の用途を含む設備を提供する。該設備は、図１〜図９の実施形態のために、照明の熱から遮断されたエアーを供給する。この点について、現代の蛍光管は、より高温で最適化され、冷却する必要がない。これは、金属ハウジング以外にエアーと照明との間を分離又は遮断する設備が無い英国特許第１５０９２５９よりも、かなり有益である。
【００３１】
（ｂ）各モジュラーユニット１０の長さは、標準的な格子天井への容易な取付を可能とするために、管２４の長さによって決められる。モジュール１０は、追加の長さのために繰り返すことができる。
【００３２】
（ｃ）図１〜図９の実施形態の場合では、エアープレナム２６がトロファハウジングに対して別れた構造であり、ハウジング１４及びプレナム２６の両方の最適デザインが可能である。
【００３３】
（ｄ）英国特許第１５０９２５９とは異なり、リフレクタの上方に、照明制御装置のための垂れハウジングを必要としない。モジュール１０の場合では、特殊なハウジングは必要とされず、上記制御装置はモジュール１０から遠く離れていてもよい。
【００３４】
（ｅ）図１〜図９の実施形態は、各リフレクタハウジングの底で独特な外形形状を有しているフラップによってエアーを制御するようになっている英国特許第１５０９２５９とは異なり、独自の線形散気装置を使用できる。また、モジュール１０は、「投入」を改善し散気を増大させるために、天井面への空力取付という「コアンダ」効果を使用して、エアーを放出するよう構成された、散気装置を使用できる。
【００３５】
（ｆ）図１〜図９の実施形態に関して、各照明ハウジング１４の上方に突出するためにプレナムハウジングを有する能力は、スピゴット２７のようなエアーダクトに対する横連結の使用を容易にする。
【図面の簡単な説明】
【００３６】
【図１】本発明により構成されたモジュラーサービスユニットの斜視図である。
【図２】本発明により構成された他のモジュラーサービスユニットの側面図である。
【図３】図２に示されるモジュラーサービスユニットの断面図である。
【図４】本発明の他の実施形態を示す図である。
【図５】上述した第２タイプの従来のサービス設備を用いた従来の吊天井の平面図である。
【図６】本発明のモジュラーサービスユニットを組み込んだ吊天井の平面図である。
【図７】本発明の他の実施形態の平面図である。
【図８】図７のＡ−Ａ断面図である。
【図９】図７のＢ−Ｂ断面図である。
【図１０】消火スプリンクラー用途を組み込んだ本発明のモジュラーサービスユニットの断面図である。
【図１１】火災検知器用途を組み込んだ本発明のモジュラーサービスユニットの断面図である。
【図１２】スピーカー用途を組み込んだ本発明のモジュラーサービスユニットの断面図である。
【図１３】補助照明器具を組み込んだ本発明のモジュラーサービスユニットの断面図である。
【図１】
2005513745.tif 000003
【図２】
2005513745.tif 000004
【図３】
2005513745.tif 000005
【図４】
2005513745.tif 000006
【図５】
2005513745.tif 000007
【図６】
2005513745.tif 000008
【図７】
2005513745.tif 000009
【図８】
2005513745.tif 000010
【図９】
2005513745.tif 000011
【図１０】
2005513745.tif 000012
【図１１】
2005513745.tif 000013
【図１２】
2005513745.tif 000014
【図１３】
2005513745.tif 000015
【手続補正書】
【提出日】平成15年8月4日(2003.8.4)
【手続補正１】
【補正対象書類名】図面
【補正対象項目名】図５
【補正方法】変更
【補正の内容】
【図５】
2005513745.tif 000016
【手続補正２】
【補正対象書類名】図面
【補正対象項目名】図６
【補正方法】変更
【補正の内容】
【図６】
2005513745.tif 000017
【手続補正書】
【提出日】平成15年9月1日(2003.9.1)
【手続補正１】
【補正対象書類名】特許請求の範囲
【補正対象項目名】請求項２１
【補正方法】変更
【補正の内容】
【請求項２１】
各モジュラーサービスユニットが、１対のエンドプレートと、各対の隣接した横方向支持部材の全て又は幾つかと、を備えており、該横方向支持部材が、各モジュラーサービスユニットの近接したエンドプレートを支持している、請求項２０記載の吊天井。
【国際調査報告】
2005513745.tif 000018
2005513745.tif 000019
2005513745.tif 000020